(57)【要約】【課題】液晶表示装置を含むタッチセンサにおいて操作位置が移動する場合に、表示内容に支障をきたすことなく消費電力の低減を図る。【解決手段】携帯電話機はタッチパネルを含む。タッチパネルは、タッチ操作の位置を検出するタッチセンサ１１３と、液晶表示装置の照明装置として機能するＬＥＤバックライト１１２とを含む。タッチセンサ１１３において、タッチパネル上でのスクロール操作が検出されると、当該スクロール操作の方向に応じて、ＬＥＤバックライト１１２上の輝度の分布が制御される。【選択図】図５
2013186246.tif 000002
【特許請求の範囲】
【請求項１】
タッチセンサとともにタッチパネルを構成する液晶表示装置であって、
液晶パネルと、
前記液晶パネルに対する光源となるバックライトと、
前記液晶パネルおよび前記バックパネルの動作を制御する制御手段と、
前記タッチセンサにおける操作位置を検出するための検出手段とを備え、
前記制御手段は、
前記バックライトの輝度を部分ごとに分割して制御し、
前記検出手段によって検出された操作位置に基づいて前記タッチパネル上での操作位置の移動方向を特定し、
前記特定した移動方向に沿って、前記バックライトの輝度が段階的に変化するように制御する、液晶表示装置。
【請求項２】
前記制御手段は、前記移動方向において、移動の始点から終点に向けて輝度が低くなるように、前記バックライトの輝度を制御する、請求項１に記載の液晶表示装置。
【請求項３】
前記制御手段は、前記移動方向において、端部から中央部に向けて輝度が高くなるように、前記バックライトの輝度を制御する、請求項１に記載の液晶表示装置。
【請求項４】
前記制御手段は、
前記検出手段が、前記タッチパネルにおいて同時に複数位置が操作されたことを検出した場合に、前記バックパネルにおいて、当該複数位置を含む予め定められた図形の枠体に向けて前記バックライトの輝度が段階的に変化するように制御する、請求項１に記載の液晶表示装置。
【請求項５】
前記制御手段は、前記検出手段によって検出された操作位置の移動があった場合に、前記バックライトの輝度を一時的に低下させた後、前記バックライトの輝度が段階的に変化するように制御する、請求項１〜請求項４のいずれかに記載の液晶表示装置。
【請求項６】
タッチセンサとともにタッチパネルを構成する液晶表示装置のコンピュータを制御するための制御プログラムであって、
前記液晶表示装置は、液晶パネルと、前記液晶パネルに対する光源となるバックライトとを含み、
前記コンピュータは、前記バックライトの輝度を部分ごとに分割して制御し、
前記制御プログラムは、前記コンピュータに、
前記タッチセンサにおける操作位置を検出するステップと、
検出された前記操作位置に基づいて前記タッチパネル上での操作位置の移動方向を特定するステップと、
前記バックライトの輝度を、前記特定した移動方向に沿って段階的に変化するように制御するステップとを実行させる、液晶表示装置の制御プログラム。
【請求項７】
タッチセンサとともにタッチパネルを構成し、液晶パネルと前記液晶パネルに対する光源となるバックライトとを含む液晶表示装置の制御方法であって、
前記バックライトの輝度は、部分ごとに分割して制御可能であり、
前記タッチセンサにおける操作位置を検出するステップと、
検出された前記操作位置に基づいて前記タッチパネル上での操作位置の移動方向を特定するステップと、
前記バックライトの輝度を、前記特定した移動方向に沿って段階的に変化するように制御するステップとを備える、液晶表示装置の制御方法。
【発明の詳細な説明】
【技術分野】
【０００１】
本発明は、液晶表示装置、その制御プログラム、および、その制御方法に関し、特に、複数のセルを含む液晶表示装置、その制御プログラム、および、その制御方法に関する。
【背景技術】
【０００２】
従来から、液晶表示装置において、バックライトを領域ごとに制御する技術について種々の提案がなされてきた。
【０００３】
たとえば、特許文献１（特開２００７−２１９２３４号公報）には、バックライト装置内部のＬＥＤ（Light  Emitting  Diode）が中央部、周囲部に分割された液晶表示装置を用いた制御が開示されている。具体的には、それぞれのＬＥＤに対して個別の輝度制御信号を用いることによって各部の輝度を任意に制御し、これにより、液晶表示装置の中央部の輝度を一定に保ちながら周囲の輝度を低く調整する。このような制御によって、ＬＥＤの消費電力を抑えた省電力モードが提供される。
【０００４】
また、特許文献２（特開２０１１−５９３３４号公報）や特許文献３（特開２０１１−９５９１３号公報）にも、ＬＥＤの消費電力を抑えるために、液晶表示装置のＬＥＤの輝度を部分ごとに分割して制御する技術が開示されている。
【先行技術文献】
【特許文献】
【０００５】
【特許文献１】特開２００７−２１９２３４号公報
【特許文献２】特開２０１１−５９３３４号公報
【特許文献３】特開２０１１−９５９１３号公報
【発明の概要】
【発明が解決しようとする課題】
【０００６】
上記した従来の技術によれば、表示内容やユーザの操作などに応じて、静的な制御しか考慮されていなかった。具体的には、特許文献１では、タッチ位置を中心としてバックライトの輝度が制御され、特許文献２では、各表示領域の表示内容に応じて当該輝度が制御され、また、特許文献３では、コピーの対象となった領域などの操作対象となった位置に応じて当該輝度が制御される。
【０００７】
しかしながら、従来の技術では、液晶表示装置に対するユーザのタッチ操作の位置が移動する際の制御については、考慮がなされていなかった。
【０００８】
本発明は、かかる実情に鑑み考え出されたものであり、その目的は、液晶表示装置を含むタッチセンサにおいて操作位置が移動する場合に、表示内容に支障をきたすことなく消費電力の低減を図ることができる液晶表示装置、その制御プログラムおよびその制御方法を提供することである。
【課題を解決するための手段】
【０００９】
本発明に従った液晶表示装置は、タッチセンサとともにタッチパネルを構成する液晶表示装置であって、液晶パネルと、液晶パネルに対する光源となるバックライトと、液晶パネルおよびバックパネルの動作を制御する制御手段と、タッチセンサにおける操作位置を検出するための検出手段とを備え、制御手段は、バックライトの輝度を部分ごとに分割して制御し、検出手段によって検出された操作位置に基づいてタッチパネル上での操作位置の移動方向を特定し、特定した移動方向に沿って、バックライトの輝度が段階的に変化するように制御する。
【００１０】
好ましくは、制御手段は、移動方向において、移動の始点から終点に向けて輝度が低くなるように、バックライトの輝度を制御する。
【００１１】
好ましくは、制御手段は、移動方向において、端部から中央部に向けて輝度が高くなるように、バックライトの輝度を制御する。
【００１２】
好ましくは、制御手段は、検出手段が、タッチパネルにおいて同時に複数位置が操作されたことを検出した場合に、バックパネルにおいて、当該複数位置を含む予め定められた図形の枠体に向けてバックライトの輝度が段階的に変化するように制御する。
【００１３】
好ましくは、制御手段は、検出手段によって検出された操作位置の移動があった場合に、バックライトの輝度を一時的に低下させた後、バックライトの輝度が段階的に変化するように制御する。
【００１４】
本発明に従った液晶表示装置の制御プログラムは、タッチセンサとともにタッチパネルを構成する液晶表示装置のコンピュータを制御するための制御プログラムであって、液晶表示装置は、液晶パネルと、液晶パネルに対する光源となるバックライトとを含み、コンピュータは、バックライトの輝度を部分ごとに分割して制御し、制御プログラムは、コンピュータに、タッチセンサにおける操作位置を検出するステップと、検出された操作位置に基づいてタッチパネル上での操作位置の移動方向を特定するステップと、バックライトの輝度を、特定した移動方向に沿って段階的に変化するように制御するステップとを実行させる。
【００１５】
本発明に従った液晶表示装置の制御方法は、タッチセンサとともにタッチパネルを構成し、液晶パネルと液晶パネルに対する光源となるバックライトとを含む液晶表示装置の制御方法であって、バックライトの輝度は、部分ごとに分割して制御可能であり、タッチセンサにおける操作位置を検出するステップと、検出された操作位置に基づいてタッチパネル上での操作位置の移動方向を特定するステップと、バックライトの輝度を、特定した移動方向に沿って段階的に変化するように制御するステップとを備える。
【発明の効果】
【００１６】
本発明によれば、バックライトの輝度は、タッチパネル上での操作位置の移動方向に沿って段階的に変化するように制御される。
【００１７】
これにより、バックライトの輝度が、タッチパネル上での操作位置の移動方向に沿って変化することにより、表示内容に支障をきたすことのない表示がなされ、また、段階的に変化するように制御されることにより、部分的に輝度を落とすことができ、消費電力の低減を図ることができる。
【図面の簡単な説明】
【００１８】
【図１】本発明の液晶表示装置の一実施の形態である携帯電話機の外観を示す図である。
【図２】図１の携帯電話機のハードウェアブロック図である。
【図３】図２のＬＥＤバックライトの構成を模式的に示す図である。
【図４】図１の携帯電話機におけるタッチセンサとＬＥＤバックライトの配置の関係を模式的に示す図である。
【図５】図１の携帯電話機において、タッチセンサにおけるスクロール操作が検出されたときのＬＥＤバックライトにおける輝度の制御態様を説明するための図である。
【図６】図１の携帯電話機において、タッチセンサにおけるスクロール操作が検出されたときのＬＥＤバックライトにおける輝度の制御態様を説明するための図である。
【図７】図１の携帯電話機において、タッチセンサにおけるスクロール操作が検出されたときのＬＥＤバックライトにおける輝度の制御態様を説明するための図である。
【図８】図１の携帯電話機において、タッチセンサにおけるスクロール操作が検出されたときのＬＥＤバックライトにおける輝度の制御態様を説明するための図である。
【図９】図１の携帯電話機において、バックライト制御部がＬＥＤバックライトの輝度を制御するための処理のフローチャートである。
【図１０】図１の携帯電話機において、タッチセンサにおけるスクロール操作が検出されたときのＬＥＤバックライトにおける輝度の制御態様を説明するための図である。
【図１１】図１の携帯電話機において、タッチセンサにおけるスクロール操作が検出されたときのＬＥＤバックライトにおける輝度の制御態様を説明するための図である。
【図１２】図１の携帯電話機において、タッチセンサにおけるスクロール操作が検出されたときのＬＥＤバックライトにおける輝度の制御態様を説明するための図である。
【図１３】図１の携帯電話機において、タッチセンサにおけるスクロール操作が検出されたときのＬＥＤバックライトにおける輝度の制御態様を説明するための図である。
【図１４】図９に示されたフローチャートの変形例を示す図である。
【図１５】第３の変形例を説明するための図である。
【図１６】第３の変形例における制御を実現するためのフローチャートである。
【発明を実施するための形態】
【００１９】
以下、本発明の液晶表示装置の実施の形態について、図面を参照して説明する。なお、以下の説明において、同一の機能および作用を有する要素については、同じ各図を通して同じ符号を付し、重複する説明を繰返さない。
【００２０】
＜装置の外観＞
図１は、本発明の液晶表示装置の一実施の形態である携帯電話機１の外観を示す図である。
【００２１】
図１を参照して、携帯電話機１は、その一側面にタッチパネル１１０を備えている。タッチパネル１１０は、後述するタッチセンサ１１３と、液晶パネルモジュールとを含む。液晶パネルモジュールは、後述するＬＥＤパネル１１１とＬＥＤバックライト１１２とを含む。
【００２２】
また、携帯電話機１は、キー操作部１２０を含む。キー操作部１２０は、カーソルキー１２１と、ボタンキー１２２〜１２５とを含む。
【００２３】
＜ハードウェア構成＞
図２は、携帯電話機１のハードウェアブロック図である。
【００２４】
図２を参照して、携帯電話機１は、制御部１００、ＬＥＤパネル１１１、ＬＥＤバックライト１１２、通信装置１５０、タッチセンサ１１３、キー操作部１２０、６軸センサ１３０、および、記憶部１４０を含む。
【００２５】
制御部１００は、ＣＰＵ（Central Processing Unit）等のプロセッサを含む。当該プロセッサが記憶部１４０に格納されたプログラムを実行することにより、制御部１００は、少なくとも、ＬＥＤパネル１１１の表示内容を制御する表示制御部１０１、および、ＬＥＤバックライト１１２の輝度を制御するバックライト制御部１０２として機能する。
【００２６】
記憶部１４０には、上記のプログラム、および、設定内容等の各種のデータが格納される。記憶部１４０は、携帯電話機１本体から着脱可能な記憶媒体によって実現されても良い。上記ＣＰＵは、当該記憶媒体との間で所定のドライバを介して情報の読込および書き込みを行なう。このような記憶媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムやデータを格納する媒体が挙げられる。
【００２７】
携帯電話機１では、ＬＥＤバックライト１１２がＬＥＤパネル１１１の光源として機能することにより、タッチパネル１１０において種々の映像が表示される。
【００２８】
６軸センサ１３０は、携帯電話機１本体の姿勢を検知する。６軸センサ１３０は、加速度センサと地磁気センサとを組合せたものに限られず、単独で６軸センサとなり得る素子であっても良いが、携帯性向上の観点から小型の素子で構成することが好ましい。６軸センサ１３０は、制御部１００と接続されており、ユーザから表示画面をスクロールさせたり、あるエリアを選択し拡大縮小したりするような入力をさせることができる。
【００２９】
通信装置１５０は、他の機器との通信を行なうための装置であり、ＬＡＮ（Local  Area  Network）カードやモデム等によって実現される。
【００３０】
＜バックライトの構成＞
図３は、図２のＬＥＤバックライト１１２の構成を模式的に示す図である。
【００３１】
図３を参照して、ＬＥＤバックライト１１２は、縦横にマトリクス状に配列された複数のセル１１２Ａを含む。これらのＬＥＤセル１１２Ａは、ＬＥＤパネル１１１の光源となるように、少なくともＬＥＤパネル１１１による表示領域に対応する領域をカバーしている。
【００３２】
各セル１１２Ａの点灯のＯＮ／ＯＦＦおよびその輝度は、バックライト制御部１０２によって制御される。
【００３３】
＜バックライトの輝度制御の概要＞
（タッチセンサとＬＥＤバックライトの相関）
図４は、タッチセンサ１１３とＬＥＤバックライト１１２の配置の関係を模式的に示す図である。なお、図４ではタッチセンサ１１３とＬＥＤバックライト１１２は左右に並べられて記載されているが、携帯電話機１では、これらは、それらの主面が重なるように重ねられて、配置されている。
【００３４】
ＬＥＤバックライト１１２は、図３を参照して説明したように、複数のＬＥＤセル１１２ＡがＬＥＤパネル１１１に対応する領域をカバーするように配列されることによって構成される。なお、タッチパネル１１０では、ＬＥＤパネル１１１には、その表示領域の少なくとも一部に対応するように、タッチセンサ１１３が配置されている。そして、タッチパネル１１０では、タッチセンサ１１３が、液晶パネルモジュールに重ねられて設けられている。つまり、タッチパネル１１０では、タッチセンサ１１３は、ＬＥＤバックライト１１２と重ねられて設けられている。
【００３５】
図４には、タッチセンサ１１３とＬＥＤバックライト１１２との対応関係が示されている。なお、タッチパネル１１０では、タッチセンサ１１３とＬＥＤバックライト１１２は、第１の方向（図４の上下方向）と第２の方向（図４の左右方向）について、同じ寸法を有する。そして、図５以降を参照して説明するように、タッチセンサ１１３において検出されたタッチ操作の内容に応じて、ＬＥＤバックライト１１２の各セルの輝度が制御される。なお、図４等に示されたタッチパネル１１０における、タッチセンサ１１３とＬＥＤバックライト１１２の寸法は一例であり、これらの第１および第２の方向の寸法は同じである必要がない。これらは、少なくとも一部が重なり合うように構成されていればよい。
【００３６】
（下から上へのスクロール操作に対応する輝度分布）
図５は、タッチセンサ１１３において、下から上にスクロールするように操作されるとき、つまり、タッチ位置が下から上に連続して（タッチセンサ１１３がタッチ操作を検出する状態を継続させながら）移動する操作が検出されるときの、ＬＥＤバックライト１１２における各セルの輝度の制御態様を説明するための図である。
【００３７】
図５では、左側にタッチセンサ１１３が示され、さらに、タッチセンサ１１３におけるスクロール操作の方向が示されている（矢印１１）。そして、図５の右側には、ＬＥＤバックライト１１２における輝度の分布が示されている。図５のＬＥＤバックライト１１２では、下から上に向けてリニアに輝度が変化している。具体的には、輝度は、下から上に向けて徐々に低下するように変化している。
【００３８】
表示制御部１０１は、タッチセンサ１１３においてこのようなスクロール操作が検出されると、ＬＥＤパネル１１１の表示内容を下から上にスクロールするように変化させる。つまり、このようなスクロール操作がなされた場合、スクロール表示によってＬＥＤパネル１１１の表示領域に新たに入り込んでくる内容は、ＬＥＤパネル１１１の下端の領域から、ＬＥＤパネル１１１内で表示され始めることになる。
【００３９】
図５に示されたようなＬＥＤバックライト１１２における輝度の分布によれば、ＬＥＤパネル１１１に新たに入り込んでくる内容が表示される部分が、他の部分よりも、輝度が高くなる。つまり、図５に示されたようなＬＥＤバックライト１１２における輝度の分布は、ＬＥＤパネル１１１において注目すべき部分に対応するＬＥＤバックライト１１２内の部分では高く、それ以外のＬＥＤバックライト１１２内の部分では低くなるように、設定されている、と言うことができる。
【００４０】
なお、ＬＥＤバックライト１１２全体として徐々に輝度が変化するように見せるために個々のセルの輝度をどのように設定すれば良いかについては、公知の技術を採用することができると考えられるため、ここでは詳細な説明は繰り返さない。
【００４１】
（上から下へのスクロール操作に対応する輝度分布）
図６は、タッチセンサ１１３において、上から下にスクロールするように操作されるときの、ＬＥＤバックライト１１２における各セルの輝度の制御態様を説明するための図である。
【００４２】
図６では、左側のタッチセンサ１１３におけるスクロール操作の方向が、矢印１２で示されている。そして、図６の右側には、ＬＥＤバックライト１１２における輝度の分布が示されている。図６のＬＥＤバックライト１１２では、上から下に向けてリニアに輝度が変化している。具体的には、輝度は、上から下に向けて徐々に低下するように変化している。
【００４３】
表示制御部１０１は、タッチセンサ１１３においてこのようなスクロール操作が検出されると、ＬＥＤパネル１１１の表示内容を上から下にスクロールするように変化させる。つまり、このようなスクロール操作がなされた場合、スクロール表示によってＬＥＤパネル１１１の表示領域に新たに入り込んでくる内容は、ＬＥＤパネル１１１の上端の領域から、ＬＥＤパネル１１１内で表示され始めることになる。
【００４４】
図６に示されたようなＬＥＤバックライト１１２における輝度の分布によれば、ＬＥＤパネル１１１に新たに入り込んでくる内容が表示される部分が、他の部分よりも、輝度が高くなる。つまり、図６に示されたようなＬＥＤバックライト１１２における輝度の分布は、ＬＥＤパネル１１１において注目すべき部分に対応するＬＥＤバックライト１１２内の部分では高く、それ以外のＬＥＤバックライト１１２内の部分では低くなるように、設定されている、と言うことができる。
【００４５】
（左から右へのスクロール操作に対応する輝度分布）
図７は、タッチセンサ１１３において、左から右にスクロールするように操作されるときの、ＬＥＤバックライト１１２における各セルの輝度の制御態様を説明するための図である。
【００４６】
図７では、左側のタッチセンサ１１３におけるスクロール操作の方向が、矢印１３で示されている。そして、図７の右側には、ＬＥＤバックライト１１２における輝度の分布が示されている。図７のＬＥＤバックライト１１２では、左から右に向けてリニアに輝度が変化している。具体的には、輝度は、左から右に向けて徐々に低下するように変化している。
【００４７】
表示制御部１０１は、タッチセンサ１１３においてこのようなスクロール操作が検出されると、ＬＥＤパネル１１１の表示内容を左から右にスクロールするように変化させる。つまり、このようなスクロール操作がなされた場合、スクロール表示によってＬＥＤパネル１１１の表示領域に新たに入り込んでくる内容は、ＬＥＤパネル１１１の左端の領域から、ＬＥＤパネル１１１内で表示され始めることになる。
【００４８】
図７に示されたようなＬＥＤバックライト１１２における輝度の分布によれば、ＬＥＤパネル１１１に新たに入り込んでくる内容が表示される部分が、他の部分よりも、輝度が高くなる。つまり、図７に示されたようなＬＥＤバックライト１１２における輝度の分布は、ＬＥＤパネル１１１において注目すべき部分に対応するＬＥＤバックライト１１２内の部分では高く、それ以外のＬＥＤバックライト１１２内の部分では低くなるように、設定されている、と言うことができる。
【００４９】
（右から左へのスクロール操作に対応する輝度分布）
図８は、タッチセンサ１１３において、右から左にスクロールするように操作されるときの、ＬＥＤバックライト１１２における各セルの輝度の制御態様を説明するための図である。
【００５０】
図８では、左側のタッチセンサ１１３におけるスクロール操作の方向が、矢印１４で示されている。そして、図８の右側には、ＬＥＤバックライト１１２における輝度の分布が示されている。図８のＬＥＤバックライト１１２では、右から左に向けてリニアに輝度が変化している。具体的には、輝度は、右から左に向けて徐々に低下するように変化している。
【００５１】
表示制御部１０１は、タッチセンサ１１３においてこのようなスクロール操作が検出されると、ＬＥＤパネル１１１の表示内容を右から左にスクロールするように変化させる。つまり、このようなスクロール操作がなされた場合、スクロール表示によってＬＥＤパネル１１１の表示領域に新たに入り込んでくる内容は、ＬＥＤパネル１１１の右端の領域から、ＬＥＤパネル１１１内で表示され始めることになる。
【００５２】
図８に示されたようなＬＥＤバックライト１１２における輝度の分布によれば、ＬＥＤパネル１１１に新たに入り込んでくる内容が表示される部分が、他の部分よりも、輝度が高くなる。つまり、図８に示されたようなＬＥＤバックライト１１２における輝度の分布は、ＬＥＤパネル１１１において注目すべき部分に対応するＬＥＤバックライト１１２内の部分では高く、それ以外のＬＥＤバックライト１１２内の部分では低くなるように、設定されている、と言うことができる。
【００５３】
＜制御フロー＞
図９は、バックライト制御部１０２がＬＥＤバックライト１１２の各セルの輝度の制御のための処理のフローチャートである。
【００５４】
図９を参照して、バックライト制御部１０２は、まずステップＳ１００で、携帯電話機１の制御モードが省エネモードに設定されているかどうか確認する。
【００５５】
携帯電話機１は、図４〜図８を参照して説明したようにＬＥＤバックライト１１２の輝度を調整することによってＬＥＤバックライト１１２の消費電力を抑えるための省エネモードと、そのようなＬＥＤバックライト１１２の輝度の調整を行なわない通常モードとの間で、モードを切り替えて、制御される。このような設定は、たとえば、ユーザがタッチセンサ１１３やキー操作部１２０を操作することによって、入力することができる。
【００５６】
そして、バックライト制御部１０２は、携帯電話機１の制御モードが省エネモードに設定されている場合にはステップＳ１１０へ処理を進める。一方、通常モードに設定されている場合には、そのまま処理を終了させる。
【００５７】
ステップＳ１１０では、バックライト制御部１０２は、画面をスクロールさせる入力がされたかどうかを判定する。当該判定の具体的な方法としては、たとえば、タッチセンサ１１３に対する入力の態様、（キー操作部１２０の一部である）カーソルキーに対する入力の態様、および／または、６軸センサ１３０における検出態様に基づくものがあるが、これに限られない。なお、６軸センサ１３０における検出態様に基づいてスクロール操作の有無が判断される場合があるのは、携帯電話機１の筐体の傾きを検出することによって、タッチパネル１１０（タッチセンサ１１３）に対するスクロール操作があったか否かが判断される場合があるからである。
【００５８】
そして、バックライト制御部１０２は、スクロールさせる入力があったと判断すると、ステップＳ１２０へ処理を進める。
【００５９】
ステップＳ１２０では、バックライト制御部１０２は、ステップＳ１１０で検出されたスクロールの方向に応じた、ＬＥＤバックライト１１２の各セルへの電流制御を行なって、ステップＳ１３０へ処理を進める。具体的には、バックライト制御部１０２は、ステップＳ１２０では、ステップＳ１１０で、スクロールの方向を検出し、当該検出された方向に応じて、図５〜図８のいずれかのパターンでＬＥＤバックライト１１２の各セルの輝度が変化するように、各セルに対して供給する電流量を制御する。
【００６０】
なお、ＬＥＤバックライト１１２の輝度を図５〜図８に示したように制御する際には、画面が急に暗くなることによって、表示が見えづらくなることを防止するために、一定の時間をかけて、各セルに供給する電流量を低下させるように制御することが好ましい。
【００６１】
ステップＳ１３０では、バックライト制御部１０２は、ステップＳ１１０において検出されはじめたスクロールのための操作が、まだ継続されているか否かを判断する。そして、バックライト制御部１０２は、当該操作が終了したと判断すると、ステップＳ１４０へ処理を進める。
【００６２】
ステップＳ１４０では、バックライト制御部１０２は、図５〜図８に示したように輝度を調整する制御を終了させる。具体的には、バックライト制御部１０２は、ステップＳ１２０において低下させた輝度を、このように輝度が低下させられる前の輝度に戻すように、各セルに供給する電流値を一定時間をかけて線形的に上げる。これにより、ＬＥＤバックライト１１２の輝度は、タッチパネル１１０に表示されるコンテンツ等の表示内容に従ったものとされる。そして、バックライト制御部１０２は、図９に示されたフローを終了させる。
【００６３】
以上説明した本実施の形態において、携帯電話機１はタッチパネル１１０を含む。タッチパネル１１０は、タッチ操作の位置を検出するタッチセンサ１１３と、液晶表示装置の照明装置として機能するＬＥＤバックライト１１２とを含む。そして、タッチセンサ１１３において、タッチパネル１１０上でのスクロール操作が検出されると、当該スクロール操作の方向に応じて、ＬＥＤバックライト１１２上の輝度が制御される。
【００６４】
＜変形例（１）＞
図１０〜図１３は、ＬＥＤバックライト１１２における輝度の調整態様の変形例を示す図である。
【００６５】
携帯電話機１では、タッチセンサ１１３が検出したスクロール方向に応じて、図５〜図８に示された態様の他に、図１０〜図１３に示されたような態様で、ＬＥＤバックライト１１２の輝度が調整されても良い。
【００６６】
（上下方向のスクロール操作に対応する輝度分布）
図１０には、タッチセンサ１１３において、矢印２１で示されるように、下から上にスクロールするように操作されるときの、ＬＥＤバックライト１１２における各セルの輝度の制御態様が示されている。また、図１１には、タッチセンサ１１３において、矢印２２で示されるように、上から下にスクロールするように操作されるときの、ＬＥＤバックライト１１２における各セルの輝度の制御態様が示されている。
【００６７】
図１０および図１１では、ＬＥＤバックライト１１２は、スクロール方向である上下方向の両端（上端と下端）は輝度が低く、そして、ＬＥＤバックライト１１２の中央に向けて輝度が徐々に上昇するように、制御される。
【００６８】
これにより、ＬＥＤバックライト１１２において、上端および下端では輝度が低下するが、中央部分では、スクロール操作の方向と交わる方向（左右方向）の全域に渡って、輝度が比較的高いまま維持される。
【００６９】
（左右方向のスクロール操作に対応する輝度分布）
図１２には、タッチセンサ１１３において、矢印２３で示されるように、左から右にスクロールするように操作されるときの、ＬＥＤバックライト１１２における各セルの輝度の制御態様が示されている。また、図１３には、タッチセンサ１１３において、矢印２４で示されるように、右から左にスクロールするように操作されるときの、ＬＥＤバックライト１１２における各セルの輝度の制御態様が示されている。
【００７０】
図１２および図１３では、ＬＥＤバックライト１１２は、スクロール方向である左右方向の両端（左端と右端）は輝度が低く、そして、ＬＥＤバックライト１１２の中央に向けて輝度が徐々に上昇するように、制御される。
【００７１】
これにより、ＬＥＤバックライト１１２において、左端および右端では輝度が低下するが、中央部分では、スクロール操作の方向と交わる方向（上下方向）の全域に渡って、輝度が比較的高いまま維持される。
【００７２】
（まとめ）
図１０〜図１３に示されるように、本変形例では、ＬＥＤバックライト１１２において、端部の輝度が低下するものの、その中央では、少なくともスクロール方向に交わる方向の全域に渡って、高く維持される。これにより、ＬＥＤバックライト１１２の一部の輝度を低下させながらも、ユーザが注目すると考えられる部分については輝度を低下させず、ユーザにおいて不都合が生ずることを回避している。
【００７３】
なお、携帯電話機１は、省エネモードにおいて、図５〜図８に示されたような態様の制御と、図１０〜図１３に示されたような態様の制御のいずれを採用するかを選択できるように構成されていても良い。
【００７４】
＜変形例（２）＞
図１４は、図９に示されたフローチャートの変形例を示す図である。
【００７５】
図１４を参照して、本変形例では、ステップＳ１１０においてタッチセンサ１１３におけるスクロール操作が検出された後、バックライト制御部１０２は、ステップＳ１２０において図５〜図８（または、図１０〜図１３）に示したような輝度の制御の前に、ステップＳ１１１の処理を実行する。
【００７６】
ステップＳ１１１では、バックライト制御部１０２は、ＬＥＤバックライト１１２の輝度を全体的に、予め定められた値だけ低下させる。
【００７７】
本変形例では、ステップＳ１１１の処理が実行されることにより、ＬＥＤバックライト１１２の輝度が、図５〜図８（または、図１０〜図１３）に示したように部分的に低下する前に、全体的に低下する。つまり、ＬＥＤバックライト１１２において、全体的に輝度が低下した後図５〜図８（または、図１０〜図１３）のように制御されることにより、一部では、さらに輝度が低下し、一部では、輝度が上昇する。このようにまず全体的に輝度が低下することにより、部分的に輝度が低下することによってユーザに与える視覚的な影響を極力抑えることができる。
【００７８】
＜変形例（３）＞
図１５および図１６は、第３の変形例について説明する図である。本変形例では、タッチセンサ１１３上の２点でタッチ操作が検出され、その後、ドラッグ操作がされた場合の輝度制御について説明する。
【００７９】
図１５を参照して、タッチセンサ１１３において、まず、点９１と点９２の２点でのタッチ操作が検出され、その後、点９２側がドラッグされて点９３まで移動した場合を考える。
【００８０】
このような操作位置の移動が検出された場合、ＬＥＤバックライト１１２の輝度は、図１５の右側に示されるように制御される。つまり、まず、最初の操作が検出された２点（点９１と点９２）を対角とする矩形領域（領域１９０）の輝度を高く、その他の領域についてはＬＥＤバックライト１１２の端縁部に向かって徐々に輝度が低下するように、制御される。そして、その後ドラッグ操作が検出されると、領域１９０のように輝度が高く制御される領域が、ドラッグ操作による移動後の操作位置に応じて、変更される。
【００８１】
図１５において、領域１９５は、点９１と点９３を対角とする矩形である。
図１６は、本変形例における制御を実現するためのフローチャートである。
【００８２】
図１６を参照して、バックライト制御部１０２は、まずステップＳ２００において、携帯電話機１が省エネモードに設定されているか否かを判断し、設定されていないと判断するとそのまま処理を終了し、設定されていると判断するとステップＳ２１０へ処理を進める。
【００８３】
ステップＳ２１０では、バックライト制御部１０２は、タッチセンサ１１３において２点のタッチが検出されたか否かを判断する。そして、検出されたと判断すると、ステップＳ２２０へ処理を進める。
【００８４】
ステップＳ２２０では、バックライト制御部１０２は、図１５に示されたようなＬＥＤバックライト１１２の輝度の制御を開始する。なお、２点が検出された当初の制御態様としては、領域１９０の部分が最も輝度が高く、そして、端縁部に向けて輝度が徐々に低下するような、制御である。
【００８５】
次に、ステップＳ２３０で、バックライト制御部１０２は、タッチセンサ１１３において２点をタッチされる状態が継続しているか否かを判断する。継続していると判断すれば、図１５に示されたようなＬＥＤバックライト１１２の輝度の制御を継続する。なお、タッチ位置が移動（ドラッグ）されていれば、最も輝度を高く制御する領域を当該移動に合わせて変更する。たとえば、２点のタッチ位置のうち一点が、図１５に示されるように点９２から点９３に移動した場合には、最も輝度を高く制御する領域が領域１９０から領域１９５へと変更される。
【００８６】
そして、２点をタッチされる状態が終了したと判断すると、バックライト制御部１０２は、ステップＳ２４０へ処理を進める。
【００８７】
ステップＳ２４０では、バックライト制御部１０２は、図１５に示したように輝度を調整する制御を終了させる。具体的には、バックライト制御部１０２は、ステップＳ２２０において部分的に低下させた輝度を、その低下前の輝度に戻すように、各セルに供給する電流値を一定時間をかけて線形的に上げる。これにより、ＬＥＤバックライト１１２の輝度は、タッチパネル１１０に表示されるコンテンツ等の表示内容に従ったものとされる。そして、バックライト制御部１０２は、図１６に示されたフローを終了させる。
【００８８】
＜その他の変形例等＞
以上説明した本実施の形態では、ＬＥＤバックライトを複数のＬＥＤセルによって構成し、各ＬＥＤセルの輝度を制御することによって、ＬＥＤバックライト全体の輝度を段階的に変化するような制御が実現された。なお、ＬＥＤバックライト全体の輝度を特定の方向に段階的に変化させる制御の実現態様は、このような態様に限定されない。たとえばＬＥＤバックライトが１枚のＬＥＤセルによって構成される場合であっても、当該セル内で輝度を段階的に変化されれば良い。また、ＬＥＤバックライトが複数のＬＥＤセルによって構成される場合であっても、それらの配列は、図３に記載されたようなマトリクス状のものに限定されない。
【００８９】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１  携帯電話機、１００  制御部、１０１  表示制御部、１０２  バックライト制御部、１１０  タッチパネル、１１１  タッチパネル、１１２  バックライト、１１２Ａ  セル、１１３  タッチセンサ、１２０  キー操作部、１２１  カーソルキー、１２２〜１２５  ボタンキー、１３０  軸センサ、１４０  記憶部、１５０  通信装置。
【図１】
2013186246.tif 000003
【図２】
2013186246.tif 000004
【図３】
2013186246.tif 000005
【図４】
2013186246.tif 000006
【図９】
2013186246.tif 000007
【図１４】
2013186246.tif 000008
【図１６】
2013186246.tif 000009
【図５】
2013186246.tif 000010
【図６】
2013186246.tif 000011
【図７】
2013186246.tif 000012
【図８】
2013186246.tif 000013
【図１０】
2013186246.tif 000014
【図１１】
2013186246.tif 000015
【図１２】
2013186246.tif 000016
【図１３】
2013186246.tif 000017
【図１５】
2013186246.tif 000018